(57)【要約】【課題】ユーザの操作の負担を減らして、条件に合致するコンテンツを選択できるようにする。【解決手段】複数のコンテンツデータを複数のグループに分けて管理し、前記管理されるグループに含まれるコンテンツデータの中から出力または削除する対象となるコンテンツデータの属性情報に関する条件をグループ毎に設定する。そして、このように設定された条件を、設定対象のグループに関連づけて記憶手段に記憶する。動作の指示を受けると、グループに含まれるコンテンツデータのうち、前記記憶手段に記憶された条件に合致するコンテンツデータに対して出力または削除を行うように制御する。【選択図】図１
2012119897.tif 000002
【特許請求の範囲】
【請求項１】
複数のコンテンツデータを複数のグループに分けて管理する管理手段と、
前記管理手段によって管理されるグループに含まれるコンテンツデータのうち、出力する対象となるコンテンツデータの属性情報に関する条件をグループ毎に設定する設定手段と、
前記設定手段により設定された条件を、設定の対象となるグループに関連づけて記憶手段に記憶する記憶制御手段と、
前記設定手段により設定の対象となっているグループに含まれるコンテンツデータのうち、前記記憶制御手段により記憶された条件に合致するコンテンツデータに対して出力を行うように制御する制御手段とを有することを特徴とするデータ管理装置。
【請求項２】
前記制御手段は、前記条件に合致するコンテンツデータに対して再生、複製、移動、または画質変更するための出力を行うように制御することを特徴とする請求項１に記載のデータ管理装置。
【請求項３】
前記設定手段により設定された条件に合致するコンテンツデータに関わる情報を表示手段に表示する表示制御手段をさらに有することを特徴とする請求項１又は２に記載のデータ管理装置。
【請求項４】
前記設定手段により設定された条件に合致するコンテンツデータが設定の対象となるグループに存在しない場合に、前記表示制御手段は、その旨を前記表示手段に表示することを特徴とする請求項３に記載のデータ管理装置。
【請求項５】
前記条件とは、前記属性情報を保持するコンテンツデータまたは属性情報が未設定のコンテンツデータであることを特徴とする請求項１〜４の何れか１項に記載のデータ管理装置。
【請求項６】
複数のコンテンツデータを複数のグループに分けて管理する管理手段と、
前記管理手段によって管理されるグループに含まれるコンテンツデータのうち、削除する対象となるコンテンツデータの属性情報に関する条件をグループ毎に設定する設定手段と、
前記設定手段により設定された条件を、設定の対象となるグループに関連づけて記憶手段に記憶する記憶制御手段と、
前記設定手段により設定の対象となっているグループに含まれるコンテンツデータのうち、前記記憶制御手段により記憶された条件に合致するコンテンツデータに対して削除を行うように制御する制御手段とを有することを特徴とするデータ管理装置。
【請求項７】
前記条件とは、前記属性情報を保持するコンテンツデータまたはそれ以外のコンテンツデータであることを特徴とする請求項６に記載のデータ管理装置。
【請求項８】
複数のコンテンツデータを複数のグループに分けて管理する管理工程と、
前記管理工程において管理されるグループに含まれるコンテンツデータのうち、出力する対象となるコンテンツデータの属性情報に関する条件をグループ毎に設定する設定工程と、
前記設定工程において設定された条件を、設定の対象となるグループに関連づけて記憶手段に記憶する記憶制御工程と、
前記設定工程において設定の対象となっているグループに含まれるコンテンツデータのうち、前記記憶制御工程において記憶された条件に合致するコンテンツデータに対して出力を行うように制御する制御工程とを有することを特徴とするデータ管理装置の制御方法。
【請求項９】
複数のコンテンツデータを複数のグループに分けて管理する管理工程と、
前記管理工程において管理されるグループに含まれるコンテンツデータのうち、削除する対象となるコンテンツデータの属性情報に関する条件をグループ毎に設定する設定工程と、
前記設定工程において設定された条件を、設定の対象となるグループに関連づけて記憶手段に記憶する記憶制御工程と、
前記設定工程において設定の対象となっているグループに含まれるコンテンツデータのうち、前記記憶制御工程において記憶された条件に合致するコンテンツデータに対して削除を行うように制御する制御工程とを有することを特徴とするデータ管理装置の制御方法。
【請求項１０】
複数のコンテンツデータを複数のグループに分けて管理する管理工程と、
前記管理工程において管理されるグループに含まれるコンテンツデータのうち、出力する対象となるコンテンツデータの属性情報に関する条件をグループ毎に設定する設定工程と、
前記設定工程において設定された条件を、設定の対象となるグループに関連づけて記憶手段に記憶する記憶制御工程と、
前記設定工程において設定の対象となっているグループに含まれるコンテンツデータのうち、前記記憶制御工程において記憶された条件に合致するコンテンツデータに対して出力を行うように制御する制御工程とをコンピュータに実行させることを特徴とするプログラム。
【請求項１１】
複数のコンテンツデータを複数のグループに分けて管理する管理工程と、
前記管理工程において管理されるグループに含まれるコンテンツデータのうち、削除する対象となるコンテンツデータの属性情報に関する条件をグループ毎に設定する設定工程と、
前記設定工程において設定された条件を、設定の対象となるグループに関連づけて記憶手段に記憶する記憶制御工程と、
前記設定工程において設定の対象となっているグループに含まれるコンテンツデータのうち、前記記憶制御工程において記憶された条件に合致するコンテンツデータに対して削除を行うように制御する制御工程とをコンピュータに実行させることを特徴とするプログラム。
【請求項１２】
請求項１０又は１１に記載のプログラムを記憶したことを特徴とするコンピュータ読み取り可能な記憶媒体。
【発明の詳細な説明】
【技術分野】
【０００１】
本発明は、特に、複数のコンテンツに対してまとめて指示するために用いて好適なデータ管理装置、データ管理装置の制御方法、プログラム及び記憶媒体に関する。
【背景技術】
【０００２】
従来、記憶装置に記憶されている画像データを再生する装置が一般的に普及しているが、これらの画像データを分類して再生するために、画像データを複数のグループに振り分けて保存し、そのグループ毎に再生するデータ管理装置が存在する。さらに、そのグループの中から特定の属性を持つ画像データのみを再生するデータ管理装置も存在する。
【０００３】
例えば、３段階の「お気に入り度」と呼ばれる画像の評価（以下、レーティングと呼ぶ）を画像データに対して属性情報として設定する。そして、ユーザによって指定された特定の段階のレーティングが設定された画像データのみを再生するアプリケーションが提案されている（例えば、特許文献１参照）。
【先行技術文献】
【特許文献】
【０００４】
【特許文献１】特開２００６−７２７３８号公報
【発明の概要】
【発明が解決しようとする課題】
【０００５】
しかしながら、従来のデータ管理装置では、以下のような問題点があった。例えば、グループ１、グループ２という２つのグループがあり、グループ１に振り分けられた画像データに対してはレーティングを設定済みであるが、グループ２に振り分けられた画像データに対してはレーティングをまだ設定していない状況が考えられる。そして、グループ１は、観賞用に最も気に入っているレーティングがレベル３の画像データのみの画像群で構成され、これらの画像データを再生したいという状況にある。ところが、グループ２ではこれからレーティングの設定作業を行うために全ての画像データを再生したいといったケースが考えられる。
【０００６】
この場合、特許文献１に記載の方法では、レーティングの設定が全てのグループ（フォルダ）に共通して適用され、グループ１に含まれる画像データを再生する際には、レーティングがレベル３以上の画像データのみを再生対象とするように再生属性を設定する。この段階では、グループ２に含まれる画像データはレーティングが設定されていないため、再生対象になっていない。したがって、グループ２に含まれる画像データを再生する際には、再生対象の設定を「レーティングがレベル３以上」という設定から「全ての画像」に切り替える必要がある。
【０００７】
さらにグループ１に含まれる画像データのみを再度再生する際には、再生対象の設定を「全ての画像」という設定から「レーティングがレベル３以上」に切り替える必要がある。このように、従来のデータ管理装置では、再生するグループを変更する度に再生属性を設定しなおす操作を行わなければならず、ユーザに多くの負担が掛かっていた。また、全ての画像データに対して設定が有効であるため、それぞれのグループに対して再生属性の設定が適当であるか否かを忘れてしまうこともある。
【０００８】
本発明は前述の問題点に鑑み、ユーザの操作の負担を減らして、条件に合致するコンテンツを選択できるようにすることを目的としている。
【課題を解決するための手段】
【０００９】
本発明のデータ管理装置は、複数のコンテンツデータを複数のグループに分けて管理する管理手段と、前記管理手段によって管理されるグループに含まれるコンテンツデータのうち、出力する対象となるコンテンツデータの属性情報に関する条件をグループ毎に設定する設定手段と、前記設定手段により設定された条件を、設定の対象となるグループに関連づけて記憶手段に記憶する記憶制御手段と、前記設定手段により設定の対象となっているグループに含まれるコンテンツデータのうち、前記記憶制御手段により記憶された条件に合致するコンテンツデータに対して出力を行うように制御する制御手段とを有することを特徴とする。
【発明の効果】
【００１０】
本発明によれば、ユーザの操作の負担を減らして、グループ毎に適した条件でコンテンツを選択することができる。
【図面の簡単な説明】
【００１１】
【図１】実施形態に係るデジタルビデオカメラの構成例を示すブロック図である。
【図２】動画ファイルの構成例を示す図である。
【図３】実施形態におけるグループ管理情報の構成例を示す図である。
【図４】実施形態における再生設定の処理手順の一例を示すフローチャートである。
【図５】実施形態に係る再生リストの一例を示す図である。
【図６】代表画像及び各種情報が表示された画面の一例を示す図である。
【発明を実施するための形態】
【００１２】
以下、図面を参照しながら本発明の好適な実施形態を説明する。
図１は、本実施形態に係るデジタルビデオカメラ１００の内部構成例を示すブロック図である。
操作スイッチ１０１はユーザによる操作を受け付けるためのスイッチ群である。操作スイッチ１０１としては、動画データを再生するための再生スイッチ１５１、動画データを複製（コピー）するためのコピースイッチ１５２、及び動画データを移動させるための移動スイッチ１５３が含まれる。また、動画の画質を変更（ダウンコンバート等）するための画質変更スイッチ１５４再生するグループを変更するための再生対象グループ変更スイッチ１５５、及び再生属性設定を変更するための再生属性設定変更スイッチ１５６が含まれる。さらには、動画データの削除機能を呼び出すための削除スイッチ１５７、動画データの削除対象を変更するための削除対象変更スイッチ１５８、及び動画データの削除を実行するための削除実行スイッチ１５９が含まれる。
【００１３】
システムコントローラ１０２は、操作スイッチ１０１に対するユーザの操作を読み取り、デジタルビデオカメラ１００の動作を制御する。また、システムコントローラ１０２は、マイコン（ＣＰＵ）と、その動作を制御するためのプログラムコード及び各種情報を一時的に格納するためのＲＡＭとから成っている。動画記録再生部１０３は、撮像部１０８から入力された映像信号をＡＶＣＨＤフォーマットの動画データへエンコードし、フラッシュメモリ１０５へ書き込む記憶制御を行う。また、動画記録再生部１０３は、フラッシュメモリ１０５から読み出した動画データをデコードし、液晶パネル１０６または映像出力端子１０７に映像信号として出力する。
【００１４】
ビットマップ生成部１０４は、映像信号に文字やアイコン等のビットマップ表示を重畳するための表示データを生成する。液晶パネル１０６は、表示制御により動画記録再生部１０３から出力される映像信号を動画として表示する表示部である。映像出力端子１０７は、動画記録再生部１０３によって再生された映像信号を外部の機器へ出力するための出力端子である。撮像部１０８は光学レンズ、撮像素子等によって構成され、光学レンズによって集光された光を撮像素子によって電気信号へ変換し、映像信号として動画記録再生部１０３へ送る。メモリーカードスロット１０９は、メモリーカード１１０が装着されると、フラッシュメモリ１０５と同様に、動画データの書き込み、読み出しをメモリーカード１１０に対して行うことができる。
【００１５】
次に、前述した構成を備えるデジタルビデオカメラ１００が行う処理について説明する。
フラッシュメモリ１０５には、コンテンツデータの一種として、撮像部１０８によって撮影された動画データが動画ファイルとして保存されている（通常は１つの動画シーンが１つの動画ファイルとして記録されている）。本実施形態においては、これらの動画データに対してレーティングという画像の評価に相当する属性を３段階で設定することができる。このとき、最も気に入っている動画データには「☆☆☆」を設定し、最も気に入っていない場合には「☆」を設定する。さらにその中間の動画データには「☆☆」を設定する。
【００１６】
さらに、これらの動画データは複数の動画をひとまとまりとして扱うためのグループに分けられており、それぞれのグループに対して、再生する動画データをレーティングによって選択するための再生属性設定を行うことができる。設定可能な再生属性設定としては、すべての動画データを再生する「すべて再生」、「☆☆☆」の動画データのみを再生する「☆☆☆を再生」、「☆☆」の動画データのみを再生する「☆☆を再生」がある。さらに、「☆」の動画データのみを再生する「☆を再生」、またはレーティングが設定されていない動画データのみを再生する「未設定を再生」と設定することもできる。
【００１７】
例えば、ユーザにより、あるグループに対して再生スイッチ１５１が押下されると、そのグループに設定されている再生属性設定によって、対応する動画データが連続して再生される。また、コピースイッチ１５２、または移動スイッチ１５３が押下されると、対応する動画データすべてをメモリーカード１１０にそれぞれコピー、または移動することが可能である。
【００１８】
また、画質変更スイッチ１５４が押下されると、動画記録再生部１０３によって、対応する動画データすべての画質を変更し、画質変更された動画データをメモリーカード１１０に書き込むことができる。なお、再生対象となっている動画データの数や再生時間をユーザが確認できるように、液晶パネル１０６には、再生属性設定が変更されるごとに再生対象となっている動画データの数と総再生時間とが更新して表示される。
【００１９】
図２は、フラッシュメモリ１０５に保存されている動画ファイルの構成例を示す図である。
図２において、領域２０１はフラッシュメモリ１０５に保存された動画ファイル毎にユニークに付けられる動画番号の情報が格納される領域である。領域２０２は動画データ毎に設定されたレーティングの情報が格納される領域である。レーティングの状態としては、「☆☆☆」、「☆☆」、「☆」、「未設定」がある。領域２０３は、その動画全体の再生時間の情報が格納される領域である。領域２０４はその動画のサムネイル画像データが記録される領域である。本実施形態では、サムネイル画像データは動画の先頭の画像（フレーム）を用いて生成されているものとする。領域２０５はＡＶＣＨＤフォーマットに変換された動画データが記録されている領域である。
【００２０】
また、各グループは、それぞれのグループに対応するグループ管理情報によって管理されている。図３は、フラッシュメモリ１０５に格納されているグループ管理情報の構成例を示す図である。
図３において、領域３０１は、各々のグループを区別するためにグループ毎にユニークに付けられたグループ番号の情報が格納される領域であり、１から順に付けられる。
【００２１】
領域３０２は、再生する動画データを選択するための再生属性設定の設定状態を記憶しておくための領域であり、「すべて再生」、「☆☆☆を再生」、「☆☆以上を再生」、「☆以上を再生」、「未設定を再生」のどれかが設定されている。領域３０３はそのグループに含まれる動画データの動画番号のリストが格納される領域であり、そのグループに含まれる動画データの個数分の動画番号の情報が格納されている。本実施形態では、このリストを所属動画リストと呼ぶ。このようにグループ管理情報には、再生属性情報が関連づけられている。
【００２２】
なお、グループに含まれている動画データを削除することも可能であり、削除スイッチ１５７を押すことにより、削除機能が実現される。また、削除対象となる動画データは削除対象変更スイッチ１５８によって変更することができる。削除対象として選択可能な設定は、すべての動画データを削除する「すべて削除」、「☆☆☆」の動画データのみを削除する「☆☆☆のみ削除」、「☆☆」の動画データのみを削除する「☆☆のみ削除」、「☆」の動画データのみを削除する「☆のみ削除」がある。さらに、「未設定」の動画データのみ削除する「未設定のみ削除」、または再生対象設定となっている動画データ以外を削除する「再生設定以外を削除」を選択することもできる。「再生設定以外を削除」では、例えば、再生対象設定が「☆☆☆」の動画データとなっている場合は、「☆☆☆」の動画データ以外の動画データをすべて削除することとなる。
【００２３】
なお、削除対象の設定は、「すべて削除」を初期値としており、削除対象変更スイッチを押すたびに順次「すべて削除」、「☆☆☆のみ削除」、「☆☆のみ削除」、「☆のみ削除」、「未設定のみ削除」、「再生設定以外を削除」の順に切り替わる。以降、この設定を削除対象設定と呼ぶ。そして、削除実行スイッチ１５９が押されると、削除対象設定に対応した動画データが削除される。ここで、削除操作に対して再生属性設定を適用せず、削除対象設定を別に用意しているのは、ユーザが再生属性設定を行った動画データ以外を削除したいと考えた場合に、再生属性設定で設定可能な対象では操作が面倒であるからである。
【００２４】
以下、ユーザの操作によって再生するグループが選択され、各々のグループの再生属性設定を変更し、設定された再生属性設定によって各々のグループに含まれる動画データの中から適切な動画データが選択され、再生される例について示す。
【００２５】
図４は、本実施形態における、グループの再生属性設定を変更する処理、及びグループの再生処理の手順の一例を示すフローチャートである。このフローチャートにおける各処理は、システムコントローラ１０２のマイコンが、システムコントローラ１０２内のプログラムコードを読み出して実行することにより実現される。
【００２６】
まず、ステップＳ４０１において、現在、再生対象となっているグループに対応するグループ管理情報をフラッシュメモリ１０５から読み出す。現在、再生対象となっているグループがどのグループかの情報については、システムコントローラ１０２上のＲＡＭにグループ番号の形で格納されており、後述するステップＳ４０８の処理によって再生対象となるグループが選択される。処理の実行後、ステップＳ４０２へ進む。なお、グループが選択される前の初期設定としては、グループ番号１のグループを再生対象と設定する。
【００２７】
次に、ステップＳ４０２において、読み出したグループ管理情報の再生属性設定を参照し、その再生条件に合致するレーティング設定を持った動画データのリストを作成する。以下、この作成するリストを再生リストと呼ぶ。再生リストは、図５に示すような構造をしており、その再生条件に当てはまるレーティング設定を持った動画データの動画番号から構成されている。また、再生リスト５０１は、システムコントローラ１０２のＲＡＭ上に生成される。具体的には、グループ管理情報の領域３０３に格納された所属動画リストを参照し、その所属動画リストの先頭の動画データから、その動画ファイルの領域２０２に格納されたレーティングの情報を参照する。そして、それが再生条件に当てはまる場合には、再生リストにその動画データの動画番号を追加する。これを所属動画リストの最後まで繰り返すことにより、再生リストが生成される。このとき、再生リストに含まれる動画データの数と、再生リストに含まれる動画データの再生時間の合計とを同時に計算し、その情報をシステムコントローラ１０２のＲＡＭ上に格納しておく。処理の実行後、ステップＳ４０３へ進む。
【００２８】
ステップＳ４０３においては、所属動画リストの先頭の動画データに係るサムネイル画像を液晶パネル１０６に表示する。この処理により、現在、再生対象となっているグループがどのようなグループであるかをユーザが直感的に知ることができる。具体的な処理手順としては、動画記録再生部１０３は、対象となる動画ファイルの領域２０４に格納されているサムネイル画像データをフラッシュメモリ１０５から読み出し、そのサムネイル画像（代表画像）を液晶パネル１０６に表示する。代表画像の選び方としては、再生リストに含まれる動画から抽出される画像であれば他の方法で選んでもよい。処理の実行後、ステップＳ４０４へ進む。
【００２９】
次に、ステップＳ４０４においては、ステップＳ４０２で計算した動画データ数及び再生時間の合計を、ステップＳ４０３で表示した代表画像とともに液晶パネル１０６に表示する。具体的には、ビットマップ生成部１０４は、ステップＳ４０２で計算した動画データ数及び再生時間の合計からビットマップ表示用の表示データを生成する。そして、動画記録再生部１０３は、その表示データを映像信号に重畳して液晶パネル１０６に出力する。
【００３０】
図６は、ステップＳ４０４の処理により液晶パネル１０６に表示される画面の例を示す図である。
図６における画像６００は、ステップＳ４０３で表示された代表画像である。再生設定６０１は、再生対象グループのグループ管理情報に含まれる、現在の再生属性設定を示す表示である。グループ名６０２は、現在再生対象となっているグループが何であるかを識別するための表示であり、ここではグループ管理情報の領域３０１に格納された情報としてグループ番号を表示している。シーン数６０３は、ステップＳ４０２で計算した再生リストに含まれる動画データ数（動画ファイル数）を示す表示である。再生時間６０４はステップＳ４０２で計算した再生リストに含まれる動画データの再生時間の合計を示す表示である。ユーザは図６の表示を見て、現在再生対象となっているグループがどんなグループであるか、及び、現在の再生属性設定で再生を行うとどのぐらいの数の動画データが再生されるのか、および再生終了までにどのぐらいの時間を要するのかを識別することができる。このような画面を見ながらステップＳ４０５で後述するように再生属性設定を変更できるため、目的の時間に合わせて再生属性設定を設定するといったことも可能である。図６の画面を表示する処理の実行後、ステップＳ４０５へ進む。
【００３１】
次に、ステップＳ４０５においては、再生属性設定変更スイッチ１５６が押されたことを検出したか否かを確認する。この確認の結果、押されたことを検出した場合には、ステップＳ４０６へ進み、そうでない場合はステップＳ４０７へ進む。
【００３２】
ステップＳ４０６においては、現在選択されているグループの再生属性設定を、ユーザによる再生属性設定変更スイッチ１５６の操作回数に応じてトグル順で変更し、フラッシュメモリ１０５に格納されているグループ管理情報を更新する。具体的には、再生属性設定変更スイッチ１５６が１回押下されると、現在選択されているグループの再生属性設定が「すべて再生」の場合は「☆☆☆を再生」に変更され、「☆☆☆を再生」の場合は「☆☆以上を再生」に変更される。また、「☆☆以上を再生」の場合は「☆以上を再生」に変更され、「☆以上を再生」の場合には「未設定を再生」に変更され、「未設定を再生」の場合には「すべて再生」に変更される。処理の実行後、ステップ４０２へ戻る。
【００３３】
一方、ステップＳ４０７においては、再生対象グループ変更スイッチ１５５が押されたことを検出したか否かを確認する。この確認の結果、押されたことを検出した場合には、ステップＳ４０８へ進み、そうでない場合はステップＳ４０９へ進む。
【００３４】
ステップＳ４０８においては、再生対象グループ変更スイッチ１５５の操作回数に応じて、再生対象となるグループを変更するようにシステムコントローラ１０２に含まれるＲＡＭの情報を変更する。具体的には、例えば、再生対象グループ変更スイッチ１５５が１回押下されると、グループ番号２のグループが再生対象となっている場合にはグループ番号３のグループに変更する。また、最後のグループ番号が再生対象となっている場合には、グループ番号１のグループに変更する。処理の実行後、ステップＳ４０１へ戻る。
【００３５】
一方、ステップＳ４０９においては、再生スイッチ１５１が押されたことを検出したか否かを確認する。この確認の結果、押されたことを検出した場合には、ステップＳ４１０へ進み、そうでない場合はステップＳ４１３へ進む。
【００３６】
ステップＳ４１０においては、再生リストに含まれる動画データ数が０であるか否かを確認する。この確認の結果、動画データ数が０である場合には、ステップＳ４１２へ進み、そうでない場合はステップＳ４１１へ進む。
【００３７】
ステップＳ４１１においては、再生リストに含まれる動画番号に対応する動画データを先頭から順次再生し、最後の動画データの再生が終了すると、ステップＳ４０５へ戻る。
【００３８】
一方、ステップＳ４１２においては、「設定したレーティングのシーンがありません」というメッセージを液晶パネル１０６に表示する。この場合、ビットマップ生成部１０４は、その旨のビットマップ表示に係る表示データを生成し、動画記録再生部１０３によりその表示データを映像信号に重畳して、液晶パネル１０６に出力する。また、表示データを生成する際には、一定時間重畳した後にメッセージ表示を消すようにする。そして、ステップＳ４０５へ戻る。
【００３９】
一方、ステップＳ４１３においては、削除スイッチ１５７が押されたことを検出したか否かを確認する。この確認の結果、押されたことを検出した場合には、ステップＳ４１４へ進み、そうでない場合はステップＳ４０５へ戻る。
【００４０】
そして、ステップＳ４１４においては、削除対象変更スイッチ１５８が押されたことを検出したか否かを確認する。この確認の結果、押されたことを検出した場合には、ステップＳ４１５へ進み、そうでない場合はステップＳ４１６へ進む。
【００４１】
ステップＳ４１５においては、削除対象設定を変更する。削除対象設定は、ユーザによる削除対象変更スイッチ１５８の操作回数に応じてトグル順で変更される。ここで、削除対象設定の情報はシステムコントローラ１０２のＲＡＭ上に格納されている。削除対象変更スイッチ１５８が１回押下されると、削除対象設定が「すべて削除」の場合には「☆☆☆のみ削除」に変更され、「☆☆☆のみ削除」の場合には「☆☆のみ削除」に変更される。また、「☆☆のみ削除」の場合には「☆のみ削除」に変更され、「☆のみ削除」の場合には「未設定のみ削除」に変更される。さらに、「未設定のみ削除」の場合には「再生設定以外を削除」に変更され、「再生設定以外を削除」の場合には「すべて削除」に変更される。その後、ステップＳ４１６へ進む。
【００４２】
一方、ステップＳ４１６においては、削除実行スイッチ１５９が押されたことを検出したか否かを確認する。この確認の結果、押されたことを検出した場合には、ステップＳ４１７へ進み、そうでない場合はステップＳ４１４へ戻る。
【００４３】
ステップＳ４１７においては、削除の対象となっている動画データをグループから消去する。具体的には、現在、再生対象となっているグループに対応するグループ管理情報の領域３０３に格納されている所属動画リストを順次読み出す。そして、削除対象設定の対象となっている動画データの動画番号がある場合には、その動画データ（動画ファイル）をフラッシュメモリ１０５から削除し、所属動画リストからその動画データに対応する動画番号を削除する。所属動画リストのすべての動画データに対して処理が終了すると、フラッシュメモリ１０５に格納されたグループ管理情報を更新する。更新が終了すると、ステップＳ４０５へ戻る。
【００４４】
以上のように本実施形態によれば、グループ毎に再生属性設定を設定することができる。このように再生対象のグループを変更してもその設定を記憶しているため、再生属性設定を変更した後に別のグループへ再生対象を変更しても、元のグループを再生対象に再度戻した場合に、再生属性設定を再度変更する必要がなくなる。また、再生属性設定を変更した場合には、液晶パネル１０６に表示される再生対象となっている動画データの数と総再生時間とが更新されることにより、ユーザは再生にかかる時間をすぐに把握することができる。
【００４５】
また、このような再生属性設定を、再生のみならず、コピー、移動、画質変換といった操作にも適用することができる。すなわち、コピースイッチ１５２、移動スイッチ１５３、または画質変更スイッチ１５４が押されたことを検出した場合に、ステップＳ４１１においてこれらの処理をそれぞれ行うことができる。ここでコピーとは、再生リスト（この場合は、コピーリスト）に含まれる動画データをコピーして他のグループに追加することである。また、移動とは、再生リスト（この場合は、移動リスト）に含まれる動画データを現在所属するグループから削除して、他のグループに追加することである。さらに、画質変更とは、再生リスト（この場合は、画質変更リスト）に含まれる動画データに対して一括して画像処理を施して新たなグループとして出力する処理である。画質変更の一種としては、例えば、画質変更リストに含まれる動画データに対して一括してダウンコンバート（例えばＨＤ（High Definition）画質の動画データをＳＤ（Standard Definition）画質に変換）する。そして、結合して単一の動画データをして記録することを行ってもよい。
【００４６】
これにより、動画データをそのままコピー、移動、画質変換したいような場合に、対象となる動画データを個別にわざわざ選択する必要はなく、再生対象を選択する場合と同様に取り扱うことができる。また、再生属性設定を削除操作には適用しないようにすると、再生属性設定を行った動画データ以外を削除する、という操作も可能となる。なお、削除操作のみに対し再生属性設定を適用しない例について説明したが、例えばコピー操作に対して再生属性設定を適用しないようにすることも当然可能である。
【００４７】
以上説明したように、動画データなどのコンテンツデータを分類したグループに対してそれぞれ別々の再生属性（出力属性）を設定することができ、その状態を保持することができる。これにより、例えばレーティングの評価の終わったグループ１と評価が終わっていないグループ２とが存在する場合に、グループ１に対してはレーティングがレベル３の画像データのみを再生するように設定して観賞用に最も気に入っている画像群のみを再生する。その後に、グループ２に対してはレーティングが設定されていない画像データのみを再生するように設定し、レーティングを効率良く行うことができる。さらにその後、グループ１に含まれる画像データを再度再生する場合でも、再生属性を再度設定することを不要にしてレーティングがレベル３の画像データのみを再生することができる。このように、ユーザの操作の負担を減らすことができ、また、ユーザがそれぞれのグループに対してどのような再生属性設定が適当であったかどうかを忘れてしまう、ということも防ぐことができる。
【００４８】
なお、上述した例では、再生属性設定としてレーティング情報を用いる例を説明したが、コンテンツデータの属性情報であれば他の属性情報を用いてもよい。例えば、動画データの属性情報としてキーワードが付加されており、設定されたキーワードを持つ画像データだけを再生対象（再生リストに含める対象）としてもよい。
【００４９】
また、図３に示したグループ管理情報を用いて管理するグループの例を説明したが、フォルダやプレイリストもグループの一種である。すなわち、フォルダに分けて管理される複数のコンテンツデータや、プレイリストに登録して管理される複数のコンテンツデータの管理にも本発明は適用可能である。
【００５０】
さらに、本実施形態では、コンテンツデータとして動画データの例を説明したが、動画データに限らず他のコンテンツデータ（コンテンツファイル）を管理する際にも本発明は適用可能である。他のコンテンツデータとしては、静止画データ、音声データ（音楽データ）、文書データなどがある。音声データである場合には、動画データと同様に、図６で示した再生時間なども表示することができる。
【００５１】
なお、システムコントローラ１０２の制御は１つのハードウェアが行ってもよいし、複数のハードウェアが処理を分担することで、装置全体の制御を行ってもよい。また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５２】
また、上述した実施形態においては、本発明をデジタルビデオカメラに適用した場合を例にして説明したが、これはこの例に限定されず、複数のグループに分けて再生属性を設定するデータ管理装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００５３】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶したコンピュータ読み取り可能な記憶媒体は本発明を構成することになる。
【符号の説明】
【００５４】
１０２  システムコントローラ
１０３  動画記録再生部
１０５  フラッシュメモリ
【図１】
2012119897.tif 000003
【図２】
2012119897.tif 000004
【図３】
2012119897.tif 000005
【図４】
2012119897.tif 000006
【図５】
2012119897.tif 000007
【図６】
2012119897.tif 000008